(57)【要約】【課題】弦楽器のネック部を保護しつつ、弦楽器の形状を活かしたファッション性の高い楽器ケースを提供する。【解決手段】中空状に形成されたボディ部２ａと、該ボディ部２ａに延設されたネック部２ｂと、を備える弦楽器２を収容する楽器ケース１であって、筒状に形成され、ネック部２ｂを収容するネック収容部１１と、ネック収容部１１に連設され、ボディ部２ａを収容するボディ収容部１２と、を有する。【選択図】図１
2019020449.tif 000002
【特許請求の範囲】
【請求項１】
中空状に形成されたボディ部と、該ボディ部に延設されたネック部と、を備える弦楽器を収容する楽器ケースであって、
筒状に形成され、前記ネック部を収容するネック収容部と、
前記ネック収容部に連設され、前記ボディ部を収容するボディ収容部と、
を有する楽器ケース。
【請求項２】
前記ネック収容部が弾性部材で形成され、その長手方向に沿って開口部を有すると共に、前記開口部を閉じた状態に保持する係止具を有する請求項１に記載の楽器ケース。
【請求項３】
前記ネック収容部が円筒状に形成された発泡合成樹脂シートからなる請求項１又は２に記載の楽器ケース。
【請求項４】
前記弦楽器の弦を掛止するために前記ボディ部において前記ネック部とは反対側に突起を備えた弦楽器を収容する請求項１乃至３の何れか一項に記載の楽器ケースであって、
前記ボディ収容部に連設されると共に筒状に形成され、前記突起部を収容する突起収容部を有する楽器ケース。
【請求項５】
前記ネック収容部と前記突起収容部が一の筒状体で形成され、前記ネック収容部と前記突起収容部の間の前記筒状体に前記ボディ収容部を連設した請求項４に記載の楽器ケース。
【発明の詳細な説明】
【技術分野】
【０００１】
本発明は、楽器を収容する楽器ケースに関し、特にボディ部とネック部を備える弦楽器を収容する楽器ケースに関する。
【背景技術】
【０００２】
従来、三味線、ギター、バイオリンなどネック部を有する弦楽器を収容する楽器ケースとしては、一つの面が開口した直方体のケース本体と、ケース本体に開閉自在に設けられた蓋体と、弦楽器のネック部を保持するためにケース本体内に設けられた保持部材とからなるケースが種々知られている（例えば、特許文献１参照）。
【０００３】
また、衝撃による傷やホコリなどからの保護を目的とした弦楽器用カバーとして、弦楽器のヘッド部からネック部根本までを被う上部カバーと、ボディを被うボディカバーとからなり、上部カバー及びボディカバーはクッション性のあるキルティング素材などで構成したものが提案されている（特許文献２参照）。
【先行技術文献】
【特許文献】
【０００４】
【特許文献１】特開２００２−３６６１４３号公報
【特許文献２】実用新案登録第３１７６５５０号公報
【発明の概要】
【発明が解決しようとする課題】
【０００５】
しかし、従来の楽器ケースは、特許文献１の楽器ケースのように、楽器の形状に関わりなく直方体のハードケースのものが多く、重くて嵩張るのみならず、ファッション性も低いという課題があった。
【０００６】
また、特許文献２の弦楽器用カバーは、軽量であり、衝撃による傷やホコリなどから楽器を保護することは可能であるが、上部カバーとボディカバーカバーとが分離されている上、キルティング素材などの柔軟な生地を用いた偏平状のカバーであるため、ネック部を湾曲させる方向に作用する外力から弦楽器を保護することができないという課題があった。
【０００７】
そこで、本発明は、弦楽器のネック部を保護しつつ、弦楽器の形状を活かしたファッション性の高い楽器ケースを提供するものである。
【課題を解決するための手段】
【０００８】
本発明は、上記課題を解決するために、中空状に形成されたボディ部と、該ボディ部に延設されたネック部と、を備える弦楽器を収容する楽器ケースであって、筒状に形成され、前記ネック部を収容するネック収容部と、前記ネック収容部に連設され、前記ボディ部を収容するボディ収容部と、を有する楽器ケースを提供するものである。
【０００９】
また、本発明の楽器ケースは、前記ネック収容部が弾性部材で形成され、その長手方向に沿って開口部を有すると共に、前記開口部を閉じた状態に保持する係止具を有するものである。
【００１０】
また、本発明の楽器ケースは、前記ネック収容部が円筒状に形成された発泡合成樹脂シートからなるものである。
【００１１】
また、本発明の楽器ケースは、前記弦楽器の弦を掛止するために前記ボディ部において前記ネック部とは反対側に突起を備えた弦楽器を収容する上記の楽器ケースであって、前記ボディ収容部に連設されると共に筒状に形成され、前記突起部を収容する突起収容部を有するものである。
【００１２】
また、本発明の楽器ケースは、前記ネック収容部と前記突起収容部が一の筒状体で形成され、前記ネック収容部と前記突起収容部の間の前記筒状体に前記ボディ収容部を連設したものである。
【発明の効果】
【００１３】
本発明の楽器ケースは、中空状に形成されたボディ部と、該ボディ部に延設されたネック部と、を備える弦楽器を収容する楽器ケースであって、筒状に形成され、前記ネック部を収容するネック収容部と、前記ネック収容部に連設され、前記ボディ部を収容するボディ収容部と、を有することにより、三味線や三線、ギター、バイオリンなど様々な弦楽器の形状を活かしてファッション性を高めることができると共に、ネック収容部とボディ収容部とを連設して一体的に形成することによって弦楽器のネック部を確実に保護することができる効果がある。
【００１４】
また、本発明の楽器ケースは、前記ネック収容部が弾性部材で形成され、その長手方向に沿って開口部を有すると共に、前記開口部を閉じた状態に保持する係止具を有することにより、ネック収容部の長手方向に沿って形成された開口部から弦楽器のネック部を簡単に出し入れすることができ、弦楽器の収容時には開口部を閉じた状態に保持して弾性部材で形成されたネック収容部によってネック部を確実に保護することができる効果がある。
効果がある。
【００１５】
また、本発明の楽器ケースは、前記ネック収容部が円筒状に形成された発泡合成樹脂シートからなることにより、ネック収容部が優れた弾性を有すると共に長手方向の剛性も有するから、衝撃による弦楽器への傷を防止することができるのみならず、ネック部を湾曲させる方向に作用する外力から弦楽器を確実に保護することができる効果がある。
【００１６】
また、本発明の楽器ケースは、前記弦楽器の弦を掛止するために前記ボディ部において前記ネック部とは反対側に突起を備えた弦楽器を収容する上記の楽器ケースであって、前記ボディ収容部に連設されると共に筒状に形成され、前記突起部を収容する突起収容部を有することにより、ケース内で弦楽器を確実に保持することができ、弦楽器のネック部に加わる外力を軽減することができる効果がある。
【００１７】
また、本発明の楽器ケースは、前記ネック収容部と前記突起収容部が一の筒状体で形成され、前記ネック収容部と前記突起収容部の間の前記筒状体に前記ボディ収容部を連設したことにより、ネック収容部から突起収容部までケース全体にわたって長手方向の剛性を高めることができるから、ネック部を湾曲させる方向に作用する外力から弦楽器をより確実に保護することができる効果がある。
【図面の簡単な説明】
【００１８】
【図１】本発明に係る楽器ケースの一実施例を示す斜視図。
【図２】その一実施例の楽器ケースを開いた状態を示す斜視図。
【図３】その一実施例の楽器ケースのネック収容部の断面図。
【図４】本発明に係る楽器ケースの一実施例を示す正面図。
【図５】本発明に係る楽器ケースの一実施例を示す背面図。
【図６】本発明に係る楽器ケースの一実施例を示す平面図。
【図７】本発明に係る楽器ケースの一実施例を示す底面図。
【図８】本発明に係る楽器ケースの一実施例を示す右側面図。
【図９】本発明に係る楽器ケースの一実施例を示す左側面図。
【発明を実施するための形態】
【００１９】
本発明の実施の形態を図示する実施例に基づいて説明する。図１は、本発明に係る楽器ケースの一実施例を示す斜視図である。図２は、本発明に係る楽器ケースの一実施例の楽器ケースを開いた状態を示す斜視図である。図３は、本発明に係る楽器ケースのネック収容部の断面図である。
【００２０】
本発明の楽器ケースは、中空状に形成されたボディ部２ａと、該ボディ部２ａに延設されたネック部２ｂと、を備える弦楽器２を収容する楽器ケース１であって、筒状に形成され、前記ネック部２ｂを収容するネック収容部１１と、前記ネック収容部１１に連設され、前記ボディ部２ａを収容するボディ収容部１２と、を有する。
【実施例１】
【００２１】
図示の実施例において、弦楽器２は三線である。三線は、中空状に形成されたボディ部２ａと、ボディ部２ａ内を貫通して取り付けられた棹と、ボディ部２ａと棹にわたって張設された三本の弦２ｄとからなる。棹の一端は、ボディ部２ａを貫通して弦２ｄを掛止する突起（猿尾）を形成している。棹の他端には、糸巻を備えたヘッド部２ｃが形成されている。ヘッド部２ｃとボディ部２ａとの間の棹は、ネック部（２ｂ）と呼ばれる。
【００２２】
図示の実施例において、楽器ケース１は、三線のネック部２ｂを収容するネック収容部１１と、ボディ部２ａを収容するボディ収容部１２と、突起（猿尾）を収容する突起収容部１３と、ヘッド部２ｃを収容するヘッド収容部１４と、を有し、一体的に形成されている。ネック収容部１１と突起収容部１３は、一の円筒状体で形成され、このネック収容部１１と突起収容部１３の間の円筒状体にボディ収容部１２を連設している。
【００２３】
図示の実施例において、円筒状体は、円筒状に成形された発泡ポリエチレンシートからなる。ネック収容部１１は、円筒状体の長手方向に沿って間隙部（スリット）が形成された開口部２０と、この開口部２０を閉じた状態に保持する係止具１５と、を有する。突起収容部１３は、円筒状体の間隙部を縫着、溶着又は接着して間隙のない円筒状に形成してある。なお、突起収容部１３は、間隙部のない円筒状体を用いてもよく、開口部２０及び係止具１５を有する構成としてもよい。
【００２４】
図３に示すように、ネック収容部１１の開口部２０は、ネック部２ｂに対して弦２ｄとは反対側に、所定幅の間隙部を形成してあることが好ましく、ネック部２ｂの幅の３０％〜８０％の幅の間隙部を形成してあることがより好ましい。開口部２０は、その幅が狭いとネック部２ｂをネック収容部１１に収容する際に開口部２０を開くのに大きな力を必要とし、その幅が広いと係止具１５で係止する際に大きな力が必要となる。なお、ネック収容部１１の開口部２０は、円筒状体の一側面を長手方向に沿って切断して形成した間隙であってもよい。
【００２５】
ネック収容部１１及び突起収容部１３を形成する円筒状体は、屈曲性及び弾力性に富んでおり、ネック部２ｂの収納・取出しが容易で耐衝撃性に優れていることから、発泡ポリエチレンシートで成形している。実施例において、円筒状体は、厚さ１０ｍｍの発泡ポリエチレンシートを使用している。また、円筒状体は、発泡ポリウレタン、発泡ポリプロピレン、発泡ポリスチレンなど他の発泡合成樹脂シートを用いてもよい。
【００２６】
また、ネック収容部１１及び突起収容部１３は、弦楽器２の棹を湾曲させる方向に作用する外力から弦楽器２を確実に保護することができるから、円筒状に形成されていることが最も好ましい。なお、ネック収容部１１及び突起収容部１３は、断面楕円形又は多角形の筒状に形成してもよい。
【００２７】
ネック収容部１１は、所定の間隔で開口部２０を閉じた状態に保持する係止具１５を設けている。図示の実施例において、係止具１５は、舌状片とボタンで形成されている、なお、係止具１５は、開口部２０を閉じた状態に保持することができればよく、ホック、グリッパ、紐、面ファスナなど他の係止具を用いてもよい。
【００２８】
円筒状体は、ネック収容部１１と突起収容部１３との間において、収容される三線の弦と対向する部分の所定の幅を残して切除し、弦楽器２のボディ部２ａを包むように形成した発泡ポリエチレンシートを連設して、ボディ収容部１２を形成している。図２に示すように、ボディ収容部１２は、円筒状体の長手方向と直交する方向に開放可能に形成され、ボディ部２ａを包み込んで係止具１６で係止して収納するように構成している。
【００２９】
実施例において、ボディ収容部１２は、厚さ５ｍｍの発泡ポリウレタンシートで形成されている。図２に示すように、ボディ収容部１２は、ボディ２ａの正面（弦側）を被う左右の正面カバーが連設部１７を介して円筒状体に連設され、左側の正面カバーに左側面カバー、背面カバー、右側面カバーの順に連設され、右側面カバーには右側の正面カバーと係止する係止具１６が設けられている。また、背面カバーの上下には、上面カバー、底面カバーがそれぞれ連設され、それぞれに左右の正面カバーと係止する係止具１６が設けられている。
【００３０】
図示の実施例において、連設部１７は、本革、布、合成革、合成樹脂などのシートからなり、円筒状体及び左右の正面カバーに縫着、溶着又は接着されている。このように、ボディ収容部１２は、左右の正面カバーの間に円筒状体の一部を外側に湾曲するカバーとして設けたことから、弦２ｄを収容する空間を確保することができると共に、ネック収容部１１から突起収容部１３までのケース全体にわたって長手方向の剛性を高めることができる。なお、連設部１７は、円筒状体及び左右の正面カバーを直接的に縫着、溶着又は接着してもよい。
【００３１】
図示の実施例において、係止具１６は、舌状片とボタンで形成されている。なお、係止具１６は、ボディ収容部１２を閉じてボディ部２ａを収容することができればよく、ホック、グリッパ、紐、面ファスナなど他の係止具を用いてもよい。また、ボディ収容部１２は、図示の形態に限らず、ボディ部２ａを収容して衝撃などから保護できればよく、形状や素材は種々のものを採用してもよい。
【００３２】
ヘッド収容部１４は、連設部１７を介してネック収容部１１の先端部に連設してある。図示の実施例において、ヘッド収容部１４は、糸巻を被う糸巻カバーと、棹の先端部を収容する円筒状体とからなる。ヘッド収容部１４の円筒状体は、厚さ１０ｍｍの発泡ポリエチレンシートで形成され、糸巻カバーは厚さ１０ｍｍの発泡ポリウレタンシートで形成されている。糸巻カバーは、平板状の正面カバー、左側面カバー、背面カバー、右側面カバーの順に連設され、右側面カバーの先端部には正面カバーと係止する係止具１６が設けられている。また、ヘッド収容部１４の円筒状体は、ネック収容部１１の円筒状体と同様に開口部２０を備え、この開口部２０を閉じた状態に保持する係止具１６を有する。なお、ヘッド部２ｃは、弦楽器２の種類によって様々な形態をとるので、ヘッド収容部１４の形態は図示の実施例に限定されるものではない。
【００３３】
ネック収容部１１とヘッド収容部１４を連設する連設部１７は、本革、布、合成革、合成樹脂などのシートからなり、ネック収容部１１とヘッド収容部１４の糸巻カバー及び円筒状体に縫着、溶着又は接着されている。
【００３４】
図示の三線は、ヘッド部２ｃがネック部２ｂに対して傾いているために、ネック収容部１１とヘッド収容部１４を連設部１７で連設しているが、ヘッド部２ｃとネック部２ｂが真直ぐな弦楽器では、ネック収容部１１に糸巻カバーを設けた構成にしてもよい。
【００３５】
本実施例の楽器ケース１は、発泡ポリエチレンシート又は発泡ポリウレタンシートの表面を本革や布、合成革、合成樹脂シートなどで被覆している。また、楽器ケース１は、発泡ポリエチレンシート又は発泡ポリウレタンシートの内面を本革や布、合成革、合成樹脂シートなどで被覆してもよい。
【００３６】
図示の実施例において、楽器ケース１は、ネック収容部１１とボディ収容部に跨って把手１８を設けている。また、ネック収容部１１及びボディ収容部１２の任意の位置にそれぞれ一又は二以上のフック１９を設け、肩掛けベルトを装着できるようにしている。本実施例の楽器ケース１は、ネック収容部１１及びボディ収容部１２にそれぞれ二以上のフック１９を設けて、二本の肩掛けベルトを装着可能にして、楽器を背負うことができるようにしている。
【００３７】
次に、本発明に係る楽器ケースの使用方法について、説明する。
【００３８】
弦楽器２を楽器ケース１に収納する前に、ネック収容部１１、ボディ収容部１２及びヘッド収容部１４の係止具１５，１６を外しておく。三線の突起（猿尾）を突起収容部１３に挿入し、ネック部２ｂを開口部２０からネック収容部１１に収容する。その後、ネック収容部１１、ボディ収容部１２及びヘッド収容部１４の係止具１５，１６をそれぞれ係止して弦楽器２が楽器ケース１内に収容される。
【００３９】
本発明に係る楽器ケースは、実施例の三線用に限らず、三味線、ギター、バイオリンなどネック部を有する様々な弦楽器を収容する楽器ケースとして有用である。
【符号の説明】
【００４０】
１  楽器ケース
２  弦楽器
２ａ  ボディ部
２ｂ  ネック部
２ｃ  ヘッド部
２ｄ  弦
１１  ネック収容部
１２  ボディ収容部
１３  突起収容部
１４  ヘッド収容部
１５，１６  係止具
１７  連設部
１８  把手
１９  フック
２０  開口部
【図１】
2019020449.tif 000003
【図２】
2019020449.tif 000004
【図３】
2019020449.tif 000005
【図４】
2019020449.tif 000006
【図５】
2019020449.tif 000007
【図６】
2019020449.tif 000008
【図７】
2019020449.tif 000009
【図８】
2019020449.tif 000010
【図９】
2019020449.tif 000011